(57)【要約】      （修正有）【課題】紙製の外カップとプラスチック製の内カップとの係合が確実でかつ使用後の手指による分離が容易で紙とプラスチックとの分別回収が容易な多重断熱カップを提供する。【解決手段】多重断熱カップの外カップ１と内カップ２の周壁５，６の上端縁３にそれぞれ上端周壁係合部７を設け、底壁８，９にそれぞれ底壁係合部１０を設け、両カップ全周面間に断熱空間１１を設け、且つ前記各係合部を手指の押圧力と引張力とにより分離容易係合とする。【選択図】  図１
2005059879.tif 000002
【特許請求の範囲】
【請求項１】
紙製の外カップの内側に、上端縁外周に小フランジの突設されたプラスチッ
ク製の内カップが配置され、
前記外カップと内カップとの係合部が、上端周壁係合部と底壁係合部とで構
成され、
内カップの周壁上端部に水平段部を有して凹設され、前記小フランジの下面
に連続する内カップアンダーカット部と、外カップの周壁上端部を内方に折曲
して形成され、前記内カップアンダーカット部に連続している小フランジの下
面に当接する頂部を有する外カップアンダーカット部とよりなり、内外両カッ
プの押込みにより両カップの両アンダーカット部が嵌合固定して上端周壁係合
部を形成しており、
また外カップの底壁と内カップの底壁とは、少なくとも外カップの周壁より
内側に形成された外カップの底壁の円軌跡を含む当接部分で底壁係合部を形成
しており、
外カップの前記係合部を除く全内周面と、内カップの前記係合部を除く全外
周面との間に一連の断熱空間が形成されていることを特徴とする多重断熱カッ
プ。
【請求項２】
上端周壁係合部が、内カップの周壁上端部に、小フランジの下部に連結して
凹設され、徐々に容器中心に向う傾斜壁とその下端に連続する外向き水平段部
とよりなる内カップアンダーカット部と、外カップの周壁上端部を内方に傾斜
折曲して形成される外カップアンダーカット部とよりなり、内外両カップの押
込みにより両カップの両アンダーカット部が嵌合固定し内外両カップが係合さ
れている請求項１記載の多重断熱カップ。
【発明の詳細な説明】
【技術分野】
【０００１】
本発明は、アイスクリームのごとき冷菓、コーヒーや紅茶のごとき加熱飲料
或はインスタントスープや即席麺のごとく熱湯を注入して食用に供する食品等
の容器に使用される厚紙と薄肉の合成樹脂とで構成された断熱性を有する多重
容器の改良に関する。
【背景技術】
【０００２】
従来の断熱性カップとしては、例えば、プラスチックカップを成形し、その
外側にライナー紙の片面にエンボス状断熱層を有する断熱材を巻きつけ固定し
、断熱性カップを形成したものがある。
この断熱性カップにあっては、プラスチックカップの側壁外周全面にライナ
ーを接着する必要があり、使用後のプラスチックカップと紙製ライナーとの分
離が容易でない問題を有している。
【０００３】
また、二重容器としては、プラスチック製の内容器のフランジ直下に凹溝を
周回形成し、紙を主とする外容器の開口部を内側へカールさせた凸部を前記内
容器の凹溝に嵌合することにより、熱が外壁に伝わりにくく、また内外容器を
互いに押し込んだだけでしっかり嵌合固定でき、外れにくくしたものがある。
前記二重容器では、使用後外容器を内容器から引きはずそうとする場合、こ
の容器は、本来、引きはずそうとする力により、凹溝に嵌合されたカール部の
形状により摩擦力を生じ、外容器が外れるのを防いでいるため、外容器と内容
器との分離が容易でない問題を有している。
【特許文献１】特開平１１−２７８４５５号公報
【特許文献２】実公平３−３８０８９号公報
【発明の開示】
【発明が解決しようとする課題】
【０００４】
近来、プラスチックと紙との分別処理が望まれ、多重断熱カップにおいて、
部材の製造が容易であり、組立が容易で、使用中に支障がなく、断熱性も充分
で、且つ、使用後に分別処理するに当たりプラスチックカップと紙製カップと
の分離を極めて容易にする構成が課題となっている。
【課題を解決するための手段】
【０００５】
前記従来の断熱カップが有する問題点に鑑み、本件請求項１の発明では、多
重断熱カップを、紙製の外カップの内側に、小フランジの突設されたプラスチ
ック製の内カップが配置され、前記外カップと内カップとの係合部が、  上端
周壁係合部と底壁係合部とで構成され、内カップの周壁上端部に水平段部を有
して凹設され、前記小フランジの下面に連続する内カップアンダーカット部と
、外カップの周壁上端部を内方に折曲して形成され、前記内カップアンダーカ
ット部に連続している小フランジの下面に当接する頂部を有する外カップアン
ダーカット部とよりなり、内外両カップの押込みにより両カップの両アンダー
カット部が嵌合固定して上端周壁係合部を形成しており、外カップの底壁と内
カップの底壁とは、少なくとも外カップの周壁より内側に形成された外カップ
の底壁の円軌跡を含む当接部分で底壁係合部を形成しており、外カップの前記
係合部を除く全円周面と、内カップの前記係合部を除く外周面との間に一連の
断熱空間が形成されている構成としたものである。
【０００６】
請求項２の発明にあっては、上端周壁係合部が、内カップの周壁上端部に、
小フランジの下部に連結して凹設され、徐々に容器中心に向う傾斜壁とその下
端に連結する外向き水平段部とよりなる内カップアンダーカット部と、外カッ
プの周壁上端部を内方に傾斜折曲して形成される外カップアンダーカット部と
よりなり、内外両カップの押込みにより両カップの両アンダーカット部が嵌合
固定し、内外両カップが係合されているという構成を請求項１の発明に付加し
た。
【発明の効果】
【０００７】
請求項１および請求項２の発明によると、形状を異にする上端周壁係合部を
形成する外カップと内カップとの周壁の上端縁を含む上端周壁部分を除き、両
カップを別々に形成することにより、形状を自由に設計できるため、両カップ
の間に断熱空間を自由に設計形成することができる効果を奏しうる。
【０００８】
外カップと内カップとの係合部は、上端周壁係合部と底壁係合部とでそれぞ
れ当接形成され、両係合部の協働により、特に上端周壁係合部の係合を強める
ことができ、簡易な形状ながら内外両カップの係合を容器として使用前及び使
用中に、支障なく一体形状を維持することができ、かつ内外両カップの周壁及
び底壁の間は、自由度が大である断熱空間を保持可能である効果を奏する。
【０００９】
請求項１、請求項２の発明においてアンダーカット構造という嵌合構造によ
り、接着剤等の他の余分な資材を用いずに外カップと内カップとの嵌合接合が
容易となる。即ち、紙カップ開口部の縁を内方に折曲げた後、プラスチックカ
ップを該紙カップ中に押込むだけで両カップを簡単に嵌合出来る効果を奏する
。
【００１０】
また、外カップである紙カップの内方へのアンダーカット部が紙の弾性によ
りプラスチック製の内カップのアンダーカット部に密着するため、強い接合強
度が得られる効果も奏する。
【００１１】
本発明によれば、容器使用後、容器の小フランジ下部を手指の押圧力でつぶ
すことにより、アンダーカット部分の嵌合部分が外れ、手指により小フランジ
に引張力を印加することにより簡単に内外両カップが外れ、内カップが引出さ
れ、プラスチックと紙との分別処理が容易となるという効果を奏する。
【００１２】
特に請求項２の発明を請求項１の発明に付加した構成により、傾斜壁を有す
る内カップアンダーカット部と、傾斜折曲された外カップアンダーカット部と
よりなる上端周壁係合部によって、外カップと内カップとの押込嵌合、断熱空
間を保持する接合が更に容易、確実となり、使用後の分別処理も更に容易とな
る効果を奏する。
【発明を実施するための最良の形態】
【００１３】
プラスチック製の内カップの上端縁外周に小フランジを突設し、該フランジ
下面に連続して凹設された内カップアンダーカット部と、外カップの周壁上端
部を内方に折曲して、その頂部を小フランジ下面に当接する外カップアンダー
カット部とよりなり、内外両カップの押込みにより両カップを嵌合固定し底壁
同士も当接せしめることにより両カップ間に断熱空間を形成し、使用に充分耐
え、且つ使用後の両カップの分離を容易とし、分別回収を容易とする。
【実施例１】
【００１４】
図１及び図２は、請求項１の発明を適用した実施例を示しており、図１は縦
断面図、図２は上端周壁係合部７の部分拡大縦断面である。紙製の外カップ１
の内側に、上端縁３外周に小フランジ４の突設されたプラスチック製の内カッ
プ２が配置され、前記外カップ１と内カップ２との係合部は、上端周壁係合部
７と底壁係合部１０とよりなる。
【００１５】
上端周壁係合部７は、内カップ２の周壁上端部１４に水平段部１５を有して
凹設され、前記小フランジ４の下面に連続する内カップアンダーカット部２２
と、外カップ１の周壁上端部２０を内方に折曲して形成され、前記内カップア
ンダーカット部２２に連続している小フランジ４の下面に当接する頂部２１を
有する外カップアンダーカット部１７とよりなり、内外両カップ２、１の押込
みにより両カップ２、１の両アンダーカット部２２、１７が嵌合固定して上端
周壁係合部７を形成している。
【００１６】
外カップ１の底壁８と、内カップ２の底壁９とは、少なくとも外カップ１の
周壁５より内側に形成された外カップ１の底壁８の円軌跡１８を含む当接部分
で底壁体合部１０を形成している。
【００１７】
外カップ１の前記両係合部７、１０を除く全外周面との間に一連の断熱空間
１１が形成されている。
なお、底壁係合部１０にあったは、外カップ底壁８と内カップ底壁９とは、
単に相互の当接だけで充分であるが、当接部分間に弱い接着力の接着剤を介し
て底壁係合部を形成することも差支えない。
【実施例２】
【００１８】
図３及び図４は、請求項１及び請求項２の両発明を併せ適用した実施例の他
の例を示しており、図４は縦断面図、図３は上端周壁係合部７の部分拡大縦断
面図である。上端周壁係合部７は、内カップ２の周壁上端部１４に、小フラン
ジ４の下部に連結して凹設され、徐々に容器中心に向う傾斜壁１６とその下端
に連結する外向き水平段部１５とよりなる内カップアンダーカット部２２と、
外カップ１の周壁上端部２０を内方に傾斜折曲して形成され、前記内カップ２
の小フランジ４の下面に当接する頂部２１と傾斜壁２３とが設けられてなる外
カップアンダーカット部１７とよりなる。
【００１９】
内外両カップ２、１の押込みにより、内カップ２を、小フランジ４が外カッ
プ１の周壁５の上端縁である頂部２１に当接するまで押込むと、内カップ２の
周壁６外面が外方へ押圧されて弾性変位していた外カップアンダーカット部１
７が、内カップアンダーカット部２２の水平段部１５の所で内方へ弾性変位し
、水平段部１５が外カップアンダーカット部１７の下へ位置し、この位置で外
カップアンダーカット部１７への水平段部１５による外方への押付力が失われ
るため、外カップアンダーカット部１７から紙の弾性により内方へ復元されて
いるため、図３に示すごとく、水平段部１５の位置において、両カップ２、１
のアンダーカット部２２、１７が嵌合係合し、内外両カップ２、１が係合され
る。
【００２０】
なお、図１および図４では、それぞれに異なる形状の底壁係合部１０の実施
例が示されており、図１では平らな円形の内カップ底壁９の全面が、外カップ
底壁８に当接して底壁係合部１０を形成し、図４では内に凹の円形の内カップ
底壁９の周端の円軌跡１８で外カップ底壁８に当接して底壁係合部１０を形成
する実施例が示されているが、図１に示す上端周壁係合部７に図４に示す底壁
係合部１０が組合わされても、図４に示す上端周壁係合部７に図１に示す底壁
係合部１０が組合わされてもよいことは勿論であり、また図示例以外に考えら
れる形状の底壁係合部を組合せることも出来る。
【００２１】
また、図１、図４には外カップ周壁５下端が延長されて、静置用端縁１２が
形成され、静置されるテーブル等の静置面との間に底壁断熱空間１９が形成さ
れ、外カップ底壁８からの無駄な熱伝導損失を防ぐ形状が示されている。
【００２２】
請求項１、請求項２いずれの上端周壁係合部７の発明の容器にあっても、容
器使用後外カップ１と内カップ２とを分離しようとする場合、容器の小フラン
ジ４の下部を、手指の押圧力によってつぶすことにより、外カップアンダーカ
ット部１７と内カップアンダーカット部２２とが容易に弾性変形し、外カップ
アンダーカット部１７の下端が外方へ変位し、内カップアンダーカット部２２
の水平段部１５より外方へ変位するので、該両部１７、２２の水平段部１５に
おける嵌合係合が外れ、小フランジ４を手指で上方に引張ることにより、内カ
ップ２を、外カップ１から容易に引出すことができ、プラスチックと紙との分
割処理が容易可能となる。
【００２３】
なお、請求項１、請求項２のいずれの発明にあっても、外カップアンダーカ
ット部１７は、頂部２１を除き、その内側下方への折曲垂下部分２４が全周に
わったて連続していても、周方向に断続して部分的に形成されていても、上端
周壁係合部７における外カップ１と内カップ２との嵌合、係合、断熱空間１１
の保持、分別処理の容易性については差支えない。
【産業上の利用可能性】
【００２４】
厚紙製の外カップと薄肉の合成樹脂製の内カップとで構成される断熱性を有
する多重容器を用いる食料容器で、最近厳格になった、使用後の容器の材料別
による分別回収に、回収費用の追加増大を欲しない場合、利用される可能性が
極めて大である。
【図面の簡単な説明】
【００２５】
【図１】請求項１、請求項２の発明の実施の一例の縦断面図である。
【図２】図１中上端周壁部の部分拡大縦断面図である。
【図３】図４中上端周壁部の部分拡大縦断面図である。
【図４】請求項２の発明の実施の他の例の縦断面図である。
【符号の説明】
【００２６】
１  外カップ
２  内カップ
３  上端縁
４  小フランジ
５  外カップ周壁
６  内カップ周壁
７  上端周壁係合部
８  外カップ底壁
９  内カップ底壁
１０  底壁係合部
１１  断熱空間
１４  内カップ周壁上端部
１５  水平段部
１７  外カップアンダーカット部
１８  円軌跡
２０  外カップ周壁上端部
２１  頂部
２２  内カップアンダーカット部
【図１】
2005059879.tif 000003
【図２】
2005059879.tif 000004
【図３】
2005059879.tif 000005
【図４】
2005059879.tif 000006